(57)【要約】【課題】  本発明は、１つのリモコン送信器により複数の照明器具を個別に制御できる配線ダクトレール用のリモコン受信器を提供することを目的とする。【解決手段】  本発明に係るリモコン受信器Ｂは、配線ダクトレールに対する取付部２０と、照明器具に対する制御回路を含む受信部３０と、照明器具に対する接続部とを備え、前記取付部２０は、ロック機構２１を備え、受信部３０は、設定ＩＤを有し、受信部３０がリモコン送信器からＩＤを含む信号を受信した場合に、受信部３０の設定ＩＤとリモコン送信器の送信ＩＤとが一致するときに、受信部３０はリモコン送信器の送信信号に応じた制御を照明器具に対して行い、受信部３０は、受信部３０の設定ＩＤを変更する際に操作するオン・オフ切換可能なＩＤ変更用スイッチとＩＤ設定変更部とを備え、ＩＤ変更用スイッチがオン状態のときにリモコン送信器からＩＤを含む信号を受信した場合に、受信部３０のＩＤがＩＤ設定変更部によりリモコン送信器から送信されたＩＤに変更されるように構成されている。【選択図】        図２
2008052945.tif 000002
【特許請求の範囲】
【請求項１】
リモコン送信器から送信される信号を受信して照明器具を制御する配線ダクトレール用のリモコン受信器であって、
配線ダクトレールに対する取付部と、照明器具に対する制御回路を含む受信部と、照明器具に対する接続部とを備え、
前記取付部は、ロック機構を備えており、該ロック機構の解除状態において取付部を配線ダクトレールに嵌め込んで回転させた後、該ロック機構を作用させることにより配線ダクトレールに固定される構造であり、
前記受信部は、設定されたＩＤを有しており、該受信部がリモコン送信器からＩＤを含む信号を受信した場合に、該受信部に設定されたＩＤとリモコン送信器から送信されたＩＤとが一致するときに、該受信部はリモコン送信器から送信された信号に応じた制御を照明器具に対して行うように構成されており、
また、前記受信部は、該受信部に設定されたＩＤを変更する際に操作するオン・オフ切換可能なＩＤ変更用スイッチとＩＤ設定変更部とを備えており、ＩＤ変更用スイッチがオン状態のときにリモコン送信器からＩＤを含む信号を受信した場合に、受信部のＩＤがＩＤ設定変更部によりリモコン送信器から送信されたＩＤに変更されるように構成されている
ことを特徴とする照明器具用リモコン受信器。
【発明の詳細な説明】
【技術分野】
【０００１】
本発明は、照明器具と該照明器具を取り付けるための配線ダクトレールとの間に介在させて使用するもので、リモコン送信器により前記照明器具の制御を可能とした照明器具用リモコン受信器（以下、「リモコン受信器」という。）に関する。
【背景技術】
【０００２】
照明器具が、その電源のオン／オフの操作を指示するリモコン受信器を装備し、照明器具に付属するリモコン発信器により該リモコン受信器を通じて照明器具を遠隔操作する照明器具が公知である。このようなリモコン送信器及びリモコン受信器は、そのそれぞれにＩＤを割り当て、リモコン送信器から送信されたＩＤと一致するＩＤを有するリモコン受信器のみがリモコン送信器から送信された操作信号を受け入れることにより遠隔操作を可能としたものである。また、配線ダクトレールに複数の照明器具を取り付けた場合、その宿命として、従来は、照明器具全体を消灯するか点灯するかのいずれかであった。なお、下記特許文献１に示すように照明器具にリモコン受信器を後付け可能に構成されたものも公知である。
【特許文献１】特開平１０−３２１０３８号公報
【発明の開示】
【発明が解決しようとする課題】
【０００３】
しかし、リモコン受信器を装備する照明器具に対して専用のリモコン送信器が必要であると、複数の照明器具を個別に制御する場合には、その数に応じたリモコン送信器が必要となる。ところで、通常、例えばテレビのリモコン送信器に見られるように、リモコン送信器は複数のＩＤを有しており、この複数のＩＤのうちの１つを選択して信号を発信できる仕組みになっている。
【０００４】
そこで、本発明者は、配線ダクトレールに複数の照明器具を取り付ける場合であっても、１つのリモコン送信器により複数の照明器具を個別に制御できるリモコン受信器を開発した。
【課題を解決するための手段】
【０００５】
本発明に係るリモコン受信器は、リモコン送信器から送信される信号を受信して照明器具を制御する配線ダクトレール用のリモコン受信器であって、配線ダクトレールに対する取付部と、照明器具に対する制御回路を含む受信部と、照明器具に対する接続部とを備え、前記取付部は、ロック機構を備えており、該ロック機構の解除状態において取付部を配線ダクトレールに嵌め込んで回転させた後、該ロック機構を作用させることにより配線ダクトレールに固定される構造であり、前記受信部は、設定されたＩＤを有しており、該受信部がリモコン送信器からＩＤを含む信号を受信した場合に、該受信部に設定されたＩＤとリモコン送信器から送信されたＩＤとが一致するときに、該受信部はリモコン送信器から送信された信号に応じた制御を照明器具に対して行うように構成されており、また、前記受信部は、該受信部に設定されたＩＤを変更する際に操作するオン・オフ切換可能なＩＤ変更用スイッチとＩＤ設定変更部とを備えており、ＩＤ変更用スイッチがオン状態のときにリモコン送信器からＩＤを含む信号を受信した場合に、受信部のＩＤがＩＤ設定変更部によりリモコン送信器から送信されたＩＤに変更されるように構成されていることを特徴とするものである。
【発明の効果】
【０００６】
上記のようにリモコン受信器を構成することにより、配線ダクトレールに取付可能な照明器具であって、リモコン受信器を装備していない照明器具に対しても、該リモコン受信器は配線ダクトレールに対する取付部を備えているので、該リモコン受信器を配線ダクトレールに取り付けることが可能であり、また、該リモコン受信器は照明器具に対する接続部を備えているので、該リモコン受信器に照明器具を接続することが可能であるため、該リモコン受信器は配線ダクトレールと照明器具との間に介在させて使用することにより該照明器具にリモコン受信器を装備させることができ、該照明器具がリモコン制御可能となる。また、取付部はロック機構を備えているので、ロック機構が作用しているときは配線ダクトレールに対するリモコン受信器の取り付けが強固であって不用意に外れることがなく、逆にロック機構を解除すると配線ダクトレールに対するリモコン受信器の取り付け及び取り外しが容易となる。
【０００７】
また、該リモコン受信器における受信部のＩＤ変更用スイッチがオン状態のときに、適当な既存のリモコン送信器からＩＤを含む信号を該受信部に発信すると、受信部のＩＤがＩＤ設定変更部によりリモコン送信器から送信されたＩＤに変更されるので、その後、当該リモコン送信器により、該リモコン受信器を介して照明器具の制御が可能となる。前記リモコン送信器が複数の異なるＩＤを発信するチャンネルを有していると、別の照明器具に装備したリモコン受信器に対して異なるチャンネルにてリモコン送信器によりＩＤを発信し、前述したのと同様の操作により、当該リモコン受信器の受信部のＩＤをリモコン送信器から発せられたＩＤに一致させるとそのチャンネルにおいて当該照明器具の制御が可能となる。このようにすることにより、該リモコン受信器を使用すれば、適当な既存のリモコン送信器により、配線ダクトレールに取り付けた複数の照明器具に対し、該複数の照明器具を各別に制御することが可能となる。
【発明を実施するための最良の形態】
【０００８】
以下に、本発明の実施例を、添付の図に基づいて詳細に説明する。
【実施例１】
【０００９】
図１は配線ダクトレールを下から見上げた状態を示す斜視図であり、図２はリモコン受信器を平面側から見た斜視図であり、図３はリモコン受信器の底面側から見た斜視図であり、図４はリモコン受信器の正面図であり、図５はリモコン受信器の背面図であり、図６はリモコン受信器の平面図であり、図７はリモコン受信器の底面図であり、図８はリモコン受信器の右側面図であり、図９はリモコン受信器の左側面図であり、図１０は配線ダクトレールにリモコン受信器を取り付けようとしている状態を示す斜視図であり、図１１は配線ダクトレールにリモコン受信器を取り付けた状態を示す斜視図であり、図１２はリモコン受信器の底面側から見た分解斜視図であり、図１３は照明器具のプラグを示す部分斜視図であり、図１４はリモコン受信器に照明器具を接続した状態を示す斜視図である。
【００１０】
本実施例における配線ダクトレールＡは、図１に示すように、室内の天井面に沿って、あるいは天井から垂下する支軸を架け渡すようにして配設されるものであり、下方に開放するコの字形角筒状のレール本体１０の下方開放端から内側に向き合う水平な係合バー１１，１２を設けることにより、下方に開放するスライド溝１３が形成されるものである。この配線ダクトレールＡの内部には、係合バー１１，１２の上方に、これと平行な電極バー１４，１５が設けられており、この電極バー１４，１５は、配線ダクトレールＡを設置する天井の配線（付図示）や電気コンセント等から電力供給される。
【００１１】
本実施例におけるリモコン受信器Ｂはリモコン送信器から送信される信号を受信して照明器具を制御するものであって、図２〜図９に示すように、配線ダクトレールＡに対する取付部２０と、照明器具Ｃに対する制御回路を含む受信部３０と、照明器具Ｃに対する接続部４０とを備えるものである。
【００１２】
取付部２０はロック機構２１とフック軸２２とを備えており、ロック機構２１は上下移動自在のスライドロックよりなり、その上端部２１ａは、後述する係合片２３，２４と直交する位置で上下し、上昇したときには前記配線ダクトレールＡのスライド溝１３に密嵌できる形状に形成されている。フック軸２２は、前記配線ダクトレールＡに挿入接続する部分であり、フック軸２２は、水平方向左右に延びる係合片２３，２４が突出形成されており、係合片２３，２４を前記配線ダクトレールＡのスライド溝１３に挿入し、係合片２３，２４とフック軸２２の突出基部２５，２６との間に係合バー１１，１２が挟持される状態で係合できるようになっている。このフック軸２２の頂部にはＬ字状の端子金具２７，２８が嵌め込まれており、端子金具２７，２８の外部露出側端部２７ａ，２８ａは係合片２３，２４と同方向に突出するように構成され、端子金具２７，２８の内部嵌入側端部は、リモコン受信器Ｂに内蔵されている回路基板５０に電気的に接続されている。このリモコン受信器Ｂを配線ダクトレールＡに取り付けるときは、ロック機構２１の上端部２１ａが降下している状態で、図１０に示すように、係合片２３，２４を配線ダクトレールＡのスライド溝１３の方向に揃えてスライド溝１３に挿入し、図１１に示すように、リモコン受信器Ｂをフック軸２２の軸周りに９０度回転させて、係合片２３，２４とフック軸２２の突出基部２５，２６との間に係合バー１１，１２を挟み込むと共にロック機構２１の上端部２１ａを上昇させて配線ダクトレールＡのスライド溝１３に密嵌させることによりリモコン受信器Ｂを配線ダクトレールＡに固定する。また、リモコン受信器Ｂをフック軸２２の軸周りに９０度回転させたときには、端子金具２７，２８の外部露出側端部２７ａ，２８ａは、配線ダクトレールＡ内の電極バー１４，１５と接触するようなっており、電極バー１４，１５に供給される電力がリモコン受信器Ａ内の回路基板５０に流れるようになっている。これにより、リモコン受信器Ｂの配線ダクトレールＡへの取り付け作業が完了する。
【００１３】
受信部３０は、リモコン受信器Ｂの外面の適宜位置に設けられ、リモコン送信器からの信号を受信する受信感知部と、図１２に示すように、前記回路基板５０とから構成される。受信部３０における回路基板５０は、設定されたＩＤを有しており、該受信部３０の受信感知部がリモコン送信器からＩＤを含む信号を受信した場合に、該受信部３０に設定されたＩＤとリモコン送信器から送信されたＩＤとが一致するときに、該受信部３０はリモコン送信器から送信された信号に応じた制御を照明器具Ｃに対して行うように構成されており、また、前記受信部３０は、該受信部３０に設定されたＩＤを変更する際に操作するオン・オフ切換可能なＩＤ変更用スイッチ３１とＩＤ設定変更部とを備えており、ＩＤ変更用スイッチ３１がオン状態のときにリモコン送信器からＩＤを含む信号を受信感知部が受信した場合に、受信部のＩＤがＩＤ設定変更部によりリモコン送信器から送信されたＩＤに変更されるように構成されている。
【００１４】
接続部４０は、照明器具ＣのプラグＣ１を接続する部分であり、本実施例においては、図１３に示すように、配線ダクトレールに接続可能なプラグＣ１に対応できる構造をなしている。該接続部４０の内部には、電極バー４１，４２が設けられており、前記プラグＣ１の端子金具Ｃ２，Ｃ３と接触して、通電時に照明器具Ｃが点灯するようにっている。また、前記電極バー４１，４２は、リモコン受信器Ｂにおける回路基板５０と電気的に接続されており、電極バー４１，４２への電力供給は、リモコン送信器からの信号を受信したリモコン受信器Ｂにおける受信部３０により制御されるようになっている。図１４は、照明器具Ｃをリモコン受信器Ｂに接続した状態である。
【００１５】
上記のようにリモコン受信器Ｂを構成することにより、配線ダクトレールＡに取付可能な照明器具Ｃであって、リモコン受信器Ｂを装備していない照明器具Ｃに対しても、該リモコン受信器Ｂは配線ダクトレールＡに対する取付部２０を備えているので、該リモコン受信器Ｂを配線ダクトレールＡに取り付けることが可能であり、また、該リモコン受信器Ｂは照明器具Ｃに対する接続部４０を備えているので、該リモコン受信器Ｂに照明器具Ｃを接続することが可能であるため、該リモコン受信器Ｂは配線ダクトレールＡと照明器具Ｃとの間に介在させて使用することにより該照明器具Ｃにリモコン受信器Ｂを装備させることができ、該照明器具Ｃがリモコン制御可能となる。また、取付部２０はロック機構２１を備えているので、ロック機構２１が作用しているときは配線ダクトレールＡに対するリモコン受信器Ｂの取り付けが強固であって不用意に外れることがなく、逆にロック機構２１を解除すると配線ダクトレールＡに対するリモコン受信器Ｂの取り付け及び取り外しが容易となる。
【００１６】
また、該リモコン受信器Ｂにおける受信部３０のＩＤ変更用スイッチ３１がオン状態のときに、適当な既存のリモコン送信器からＩＤを含む信号を該受信部３０に発信すると、受信部３０のＩＤがＩＤ設定変更部によりリモコン送信器から送信されたＩＤに変更されるので、その後、当該リモコン送信器により、該リモコン受信器Ｂを介して照明器具Ｃの制御が可能となる。前記リモコン送信器が複数の異なるＩＤを発信するチャンネルを有していると、別の照明器具に装備したリモコン受信器Ｂに対して異なるチャンネルにてリモコン送信器によりＩＤを発信し、前述したのと同様の操作により、当該リモコン受信器Ｂの受信部３０のＩＤをリモコン送信器から発せられたＩＤに一致させるとそのチャンネルにおいて当該照明器具の制御が可能となる。このようにすることにより、該リモコン受信器Ｂを使用すれば、適当な既存のリモコン送信器により複数の照明器具を各別に制御することが可能となる。
【図面の簡単な説明】
【００１７】
【図１】配線ダクトレールを下から見上げた状態を示す斜視図である。
【図２】リモコン受信器を平面側から見た斜視図である。
【図３】リモコン受信器の底面側から見た斜視図である。
【図４】リモコン受信器の正面図である。
【図５】リモコン受信器の背面図である。
【図６】リモコン受信器の平面図である。
【図７】リモコン受信器の底面図である。
【図８】リモコン受信器の右側面図である。
【図９】リモコン受信器の左側面図である。
【図１０】配線ダクトレールにリモコン受信器を取り付けようとしている状態を示す斜視図である。
【図１１】配線ダクトレールにリモコン受信器を取り付けた状態を示す斜視図である。
【図１２】リモコン受信器の底面側から見た分解斜視図である。
【図１３】照明器具のプラグを示す部分斜視図である。
【図１４】リモコン受信器に照明器具を接続した状態を示す斜視図である。
【符号の説明】
【００１８】
Ａ・・・配線ダクトレール
１０・・レール本体
１１，１２・・係合バー
１３・・スライド溝
１４，１５・・電極バー
Ｂ・・・リモコン受信器
２０・・配線ダクトレールに対する取付部
２１・・ロック機構
２１ａ・・ロック機構の上端部
２２・・フック軸
２３，２４・・係合片
２５，２６・・フック軸の突出基部
２７，２８・・端子金具
２７ａ，２８ａ・・端子金具の外部露出側端部
３０・・照明器具に対する制御回路を含む受信部
３１・・ＩＤ変更用スイッチ
４０・・照明器具Ｃに対する接続部
４１，４２・・電極バー
５０・・回路基板
Ｃ・・照明器具
Ｃ１・・照明器具のプラグ
Ｃ２，Ｃ３・・端子金具
【図１】
2008052945.tif 000003
【図２】
2008052945.tif 000004
【図３】
2008052945.tif 000005
【図４】
2008052945.tif 000006
【図５】
2008052945.tif 000007
【図６】
2008052945.tif 000008
【図７】
2008052945.tif 000009
【図８】
2008052945.tif 000010
【図９】
2008052945.tif 000011
【図１０】
2008052945.tif 000012
【図１１】
2008052945.tif 000013
【図１２】
2008052945.tif 000014
【図１３】
2008052945.tif 000015
【図１４】
2008052945.tif 000016